(57)【要約】【課題】既存のキャビネットに後付けでも装着することが可能になり、しかも、キャビネットに収納されている個人情報を確実に保護することができるキャビネット用シャッター装置を提供する。【解決手段】シャッター板１１を回転自在に収納する収納体１２を設ける。該収納体１２の下端部に連結されキャビネットＰの左右側板Ｐ３に固定される一対のガイドレール１３を設ける。装着するキャビネットＰの前面又は後面の幅に合わせてシャッター板１１の幅を設定する。ガイドレール１３の上端に収納体１２を連結する。シャッター板１１の左右両端部をガイドレール１３の案内溝１３Ａ内に挿入する。ガイドレール１３にシャッター板１１を固定する施錠具１６を設ける。該施錠具１６でシャッター板１１の開閉を規制する。【選択図】図２
0003113967.tif 000002
【実用新案登録請求の範囲】
【請求項１】
天板と底板と左右の側板とから成る書棚状のキャビネットに装着するシャッター装置において、該シャッター装置は、シャッター板を回転自在に収納する収納体と、該収納体の下端部に連結されキャビネットの左右側板に固定される一対のガイドレールとから構成され、装着するキャビネットの前面又は後面の幅に合わせてシャッター板の幅を設定し、ガイドレールの上端に収納体を連結すると共に、シャッター板の左右両端部をガイドレールの案内溝内に挿入し、ガイドレールにシャッター板を固定する施錠具を設け、該施錠具でシャッター板の開閉を規制するように設けたことを特徴とするキャビネット用シャッター装置。
【請求項２】
前記ガイドレールの長手方向に沿って略角筒状の固定体を一体に設け、該固定体を介して左右側板にガイドレールが固定され、固定体の固定位置の変更によりガイドレールの装着位置を調整するように設けた請求項１記載のキャビネット用シャッター装置。
【請求項３】
前記ガイドレールは、前記固定体と前記キャビネットの左右側板との間に略枠体状のスペーサーを介して左右側板に固定されることでガイドレールの装着位置を調整するように設けた請求項２記載のキャビネット用シャッター装置。
【請求項４】
前記シャッター装置は、前記収納体の内部にモーターが配設され、リモートコントロールで開閉するように設けられた請求項１乃至３いずれか記載のキャビネット用シャッター装置。
【考案の詳細な説明】
【技術分野】
【０００１】
本考案は、個人情報を保護するため、たとえば既存のキャビネットの開口部に装着することができるキャビネット用シャッター装置に関する。
【背景技術】
【０００２】
個人情報を保護するために様々な手段が試みられているが、書庫などのキャビネットに収納された個人情報を物理的に保護する手段は提案されていない。
【０００３】
たとえば、特許文献１に記載されているシャッター扉式収納キャビネットは、ワゴン型のキャビネット本体の上面開放棚部を、屈曲可能なシャッター扉で開閉自在に覆う構成を成している。
【０００４】
一方、特許文献２に記載されたシャッター扉付きキャビネット装置では、天板と地板との間の内径部に収納庫体を固定し、この収納庫体より外周を囲むようにしたシャッター扉を開閉可能に設けたものである。
【特許文献１】実開平７−３５６９７号公報
【特許文献２】特許２００３−７０５６６号公報
【考案の開示】
【考案が解決しようとする課題】
【０００５】
ところが、これらのシャッターを設けたキャビネットは、いずれもキャビネットと一体に製造されるものであった。そのため、キャビネットの構成は複雑にならざるを得ず、しかも、キャビネットの用途も限定される不都合がある。
【０００６】
一方、書類棚等として最も多く利用されているキャビネットは、あらゆる分野で大量の書類を保存しており、これらの書類に記載されている個人情報の保護が急務になっている。そこで、特許文献１や２で提案されているシャッター付きのキャビネットを利用するには莫大な費用が想定され、現在保有している書類の情報を保護することは現実的ではない。
【０００７】
そこで本考案は、上述の課題を解消すべく案出されたもので、既存のキャビネットでも後付けにて装着することが可能になり、しかも、キャビネットに収納されている個人情報を確実に保護することができるキャビネット用シャッター装置の提供を目的とするものである。
【課題を解決するための手段】
【０００８】
本考案の第１の手段は、天板Ｐ１と底板Ｐ２と左右の側板Ｐ３とから成る書棚状のキャビネットＰに装着するシャッター装置１０において、該シャッター装置１０は、シャッター板１１を回転自在に収納する収納体１２と、該収納体１２の下端部に連結されキャビネットＰの左右側板Ｐ３に固定される一対のガイドレール１３とから構成され、装着するキャビネットＰの前面又は後面の幅に合わせてシャッター板１１の幅を設定し、ガイドレール１３の上端に収納体１２を連結すると共に、シャッター板１１の左右両端部をガイドレール１３の案内溝１３Ａ内に挿入し、ガイドレール１３にシャッター板１１を固定する施錠具１６を設け、該施錠具１６でシャッター板１１の開閉を規制するように設けたことにある。
【０００９】
第２の手段は、前記ガイドレール１３の長手方向に沿って略角筒状の固定体１４を一体に設け、該固定体１４を介して左右側板Ｐ３にガイドレール１３が固定され、固定体１４の固定位置の変更によりガイドレール１３の装着位置を調整するように設けたものである。
【００１０】
第３の手段の前記ガイドレール１３は、前記固定体１４と前記キャビネットＰの左右側板Ｐ３との間に略枠体状のスペーサー１５を介して左右側板Ｐ３に固定されることでガイドレール１３の装着位置を調整するように設けている。
【００１１】
第４の手段において、前記シャッター装置１０は、前記収納体１２の内部にモーターが配設され、リモートコントロールで開閉するように設けたことを課題解決の手段とする。
【考案の効果】
【００１２】
本考案の請求項１により、既存のキャビネットに後付けでも装着することが可能になり、しかも、キャビネットに収納されている個人情報を確実に保護することができる。また、本発明シャッター装置を予め装着したキャビネットを提供することも可能である。
【００１３】
請求項２の略角筒状の固定体１４を用いることで、固定体１４の固定位置の変更によりガイドレール１３の装着位置を変更可能となる。この結果、既存のキャビネットＰにおける様々なタイプに適応させてシャッター装置１０を装着することが可能になる。
【００１４】
請求項３の略枠体状のスペーサー１５を用いることで、ガイドレール１３の固定位置を更に大きく変更することが可能になる。
【００１５】
請求項４によると、多数のキャビネットＰを保有している場合でも、シャッター板１１の操作が容易に行えるので、キャビネットＰへ書類等を出し入れする作業を容易にすることができる。
【００１６】
このように本考案によると、既存のキャビネットに後付けにて装着することが可能になり、しかも、キャビネットに収納されている個人情報を確実に保護することができるなどといった有益な種々の効果を奏するものである。
【考案を実施するための最良の形態】
【００１７】
本考案の最良の形態は、シャッター板１１を回転自在に収納する収納体１２を設ける。該収納体１２の下端部に連結されキャビネットＰの左右側板Ｐ３に固定される一対のガイドレール１３を設ける。装着するキャビネットＰの前面又は後面の幅に合わせてシャッター板１１の幅を設定する。ガイドレール１３に略角筒状の固定体１４を一体に設け、該固定体１４を介して左右側板Ｐ３にガイドレール１３が固定され、固定体１４の固定位置の変更によりガイドレール１３の装着位置を調整する。ガイドレール１３の上端に収納体１２を連結する。シャッター板１１の左右両端部をガイドレール１３の案内溝１３Ａ内に挿入する。ガイドレール１３にシャッター板１１を固定する施錠具１６を設ける。該施錠具１６でシャッター板１１の開閉を規制するように設ける。シャッター装置１０は、前記収納体１２の内部にモーターが配設され、リモートコントロールで開閉するように設けることで当初の目的を達成するものである。
【実施例】
【００１８】
本考案装置は、現在最も利用台数が多いと思われるキャビネットＰ、すなわち、天板Ｐ１と底板Ｐ２と左右の側板Ｐ３とから成る書棚状のキャビネットＰに後付けでも装着できるシャッター装置１０である。このような構成のキャビネットＰは、文書ファイルやカルテなどの書類の他、磁気媒体等の記録媒体を収容する場合にも用いられている。また、本考案で言うキャビネットＰとは、この他壁面に設けられているような通常の棚を含むものである。以下、図面を参照して本考案の実施例を詳細に説明する。
【００１９】
該シャッター装置１０は、シャッター板１１を回転自在に収納する収納体１２と、該収納体１２の下端部に連結されキャビネットＰの左右側板Ｐ３に固定される一対のガイドレール１３とで構成されている（図１参照）。
【００２０】
収納体１２は、箱体状を成し、リール１２Ａに巻き込んだシャッター板１１を内部に収納するものである（図２参照）。このリール１２Ａは、手動で操作できるものでも良く、また、電動にて操作できるものでも良い。電動で操作する場合は、収納体１２の内部にモーター（図示せず）を配設し、リモートコントロールで操作することも可能である。このとき、安全性を高めるために、リール１２Ａで開閉するシャッター板１１にテープセンサー（図示せず）等を設けて異常物を検知した際に自動的に停止するように設けても良い。更に、リモートコントロールを採用する場合は、無線、有線等を問わないが、図示例では、無線の送信機２０と収納体１２側に装着した受信機３０と、を備えている（図１参照）。
【００２１】
シャッター板１１の幅は、装着するキャビネットＰの前面又は後面の幅に合わせて設定する（図４参照）。例えば、現在使用されているキャビネットＰの幅に合わせて予め設けるほか、サイズの大きなシャッター板１１や収納体１２を切断して所定のサイズに合わせることも可能である。尤も、シャッター装置１０を装着したキャビネットＰを製造する場合は自由に設定することができる。
【００２２】
ガイドレール１３は、キャビネットＰの左右側板Ｐ３に夫々固定されるもので、図示例では、固定ネジ１３Ｂによるネジ止め手段にて固定している（図３参照）。この際、各キャビネットＰによって僅かながらタイプが異なる場合がある。そこで、各種のキャビネットＰに対応するために、ガイドレール１３に略角筒状の固定体１４を一体に設けている（図６参照）。
【００２３】
この固定体１４を介して左右側板Ｐ３にガイドレール１３を固定する。この固定枠体１４が略角筒状を成しているので、例えば、図６に示す如く、固定枠体１４の側面と側板Ｐ３とを固定したり、図７に示す如く、ガイドレール１３の正面から固定体１４とガイドレール１３とを連結したりすることができる。このように、固定体１４の固定位置の変更によりガイドレール１３の装着位置を調整することが可能になる。
【００２４】
また、ガイドレール１３は、略枠体状のスペーサー１５を介して固定することも可能である（図８乃至図１１参照）。図８は、平断面略Ｌ字形状を成し、図９は、平断面略コ字形状を成している。また、図１０に示す如く、スペーサー１５を複数枚使用することも可能である。このようなスペーサー１５を介することで、ガイドレール１３の位置を更に大きく変更することができる。
【００２５】
本考案のシャッター装置１０を既存のキャビネットＰに装着するには、側板Ｐ３に固定したガイドレール１３の上端に収納体１２を連結すると共に、シャッター板１１の左右両端部をガイドレール１３の案内溝１３Ａ内に挿入することで完了する（図２参照）。また
シャッター装置１０を天板Ｐ１に固定してもよい。ガイドレール１３と収納体１２との連結は、ネジ止め手段にて固定する。
【００２６】
図５に示す符号１６は、ガイドレール１３にシャッター板１１を施錠する施錠具である。図示例の施錠具１６は、ガイドレール１３側からシャッター板１１方向に出没自在な施錠ボタン１６Ａを設けている。そして、この施錠ボタン１６Ａをシャッター板１１方向に押し込むことで施錠され（同図（イ）参照）、この施錠ボタン１６Ａを元の位置に戻すと開放されるものである（同図（ロ）参照）。この施錠具１６は、このように一般のシャッターに使用されている施錠具１６の他、引き戸錠、南京錠、丸落し錠など、ガイドレール１３にシャッター板１１を施錠するものであればどのような施錠具１６を使用しても良く、また複数の施錠具１６を組み合わせることも可能である。そして、この施錠具１６により、シャッター板１１の開閉を規制するものである。
【００２７】
尚、本考案における図示例の各構成は、本考案の一実施例に過ぎず、各形状や寸法等の設計変更、材質の転換及び使用態様の変更など、本考案の要旨を変更しない範囲において自由に変更することができるものであり、使用環境も特に限定されるものではない。
【図面の簡単な説明】
【００２８】
【図１】本考案の一実施例を示す分解正面図である。
【図２】本考案の装着状態を示す側面図である。
【図３】本考案の装着状態を示す正面図である。
【図４】本考案のシャッター板を降ろした状態を示す正面図である。
【図５】図２に示す矢視Ａ−Ａ線を示す断面図で（イ）は施錠状態、（ロ）は開放状態を示す要部断面図である。
【図６】本考案の固定体の実施例を示す平面図である。
【図７】本考案の固定体の他実施例を示す平面図である。
【図８】本考案のスペーサーの実施例を示す平面図である。
【図９】本考案のスペーサーの他の実施例を示す平面図である。
【図１０】本考案のスペーサーの他の実施例を示す平面図である。
【図１１】本考案のスペーサーを使用した状態を示す分解側面図である。
【符号の説明】
【００２９】
Ｐ  キャビネット      Ｐ１  天板
Ｐ２  底板
Ｐ３  側板
１０  シャッター装置
１１  シャッター板
１２  収納体          １２Ａ  リール
１３  ガイドレール    １３Ａ  案内溝
１３Ｂ  固定ネジ
１４  固定体
１５  スペーサー
１６  施錠具          １６Ａ  施錠ボタン
２０  送信機
３０  受信機
【図１】
0003113967.tif 000003
【図２】
0003113967.tif 000004
【図３】
0003113967.tif 000005
【図４】
0003113967.tif 000006
【図５】
0003113967.tif 000007
【図６】
0003113967.tif 000008
【図７】
0003113967.tif 000009
【図８】
0003113967.tif 000010
【図９】
0003113967.tif 000011
【図１０】
0003113967.tif 000012
【図１１】
0003113967.tif 000013